(57)【要約】【課題】画像投写部に異常が発生した場合に、記録媒体に記録された画像情報を、画像出力端子を介して外部画像表示装置に出力する画像再生部一体型のプロジェクターを提供する。【解決手段】制御部２０は、異常検出部４０が異常状態を検出した状態（ステップＳ２０１）において、入力操作部２２より所定の入力操作を検出した場合（ステップＳ２０４：Ｙ）、画像信号入出力部３３により、記録媒体に記録された画像情報を画像出力端子２５を介して外部画像表示装置に出力する（ステップＳ２０９）。【選択図】図３
2012173451.tif 000002
【特許請求の範囲】
【請求項１】
画像情報を読み出す読出部と、
光源から射出された光を前記読出部が読み出した画像情報に応じて画像光に変調して投写する画像投写部を有するプロジェクターであって、
前記画像情報に基づいた画像を外部画像表示装置に出力するための画像出力端子と、
前記画像情報を、前記画像出力端子を介して前記外部画像表示装置に出力するための画像信号入出力部と、
前記画像投写部の異常状態を検出する異常検出部と、
入力操作を受け付ける入力操作部と、
前記入力操作部が受け付けた前記入力操作に基づいて、当該プロジェクターの動作を制御する制御部と、を備え、
前記制御部は、前記異常検出部が異常状態を検出した状態において、所定の入力操作を検出した場合、前記画像信号入出力部により、前記画像情報を前記画像出力端子を介して前記外部画像表示装置に出力することを特徴とする、プロジェクター。
【請求項２】
請求項１に記載のプロジェクターであって、
前記異常検出部が検出した異常情報を保存する記憶部をさらに備え、
前記制御部は、前記異常検出部が異常状態を検出した状態において、所定の入力操作を検出した場合、前記画像信号入出力部により、前記記憶部が保存する前記異常情報を前記画像情報に重畳させて前記画像出力端子を介して前記外部画像表示装置に出力することを特徴とする、プロジェクター。
【請求項３】
請求項１または２に記載のプロジェクターであって、
前記画像信号入出力部を、前記画像情報を前記画像出力端子を介して前記外部画像表示装置に出力する出力状態と、外部機器の入力画像情報を前記画像出力端子を介して入力する入力状態とのいずれかに切り替える入出力切替部とをさらに備え、
前記制御部は、前記異常検出部が異常状態を検出していない場合、前記入出力切替部により、前記画像信号入出力部を前記入力状態に切り替え、
前記制御部は、前記異常検出部が異常状態を検出した状態において、所定の入力操作を検出した場合、前記入出力切替部により、前記画像信号入出力部を前記出力状態に切り替えることを特徴とする、プロジェクター。
【請求項４】
請求項１から３のいずれか一項に記載のプロジェクターであって、
前記異常検出部が異常状態を検出した場合に異常発生を報知する報知部をさらに備えたことを特徴とする、プロジェクター。
【請求項５】
請求項１から４のいずれか一項に記載のプロジェクターであって、
前記制御部は、前記異常検出部が異常状態を検出した場合に、所定時間内に所定の入力操作を検出しなかったら当該プロジェクターの電源をオフすることを特徴とする、プロジェクター。
【請求項６】
画像情報を読み出す読出部と、
光源から射出された光を前記読出部が読み出した画像情報に応じて画像光に変調して投写する画像投写部と、
入力操作を受け付ける入力操作部と、
前記画像情報に基づいた画像を外部画像表示装置に出力するための画像出力端子と、
前記画像情報を、前記画像出力端子を介して前記外部画像表示装置に出力するための画像信号入出力部と、
を有するプロジェクターの制御方法であって、
前記画像投写部の異常状態を検出する異常検出ステップと、
前記異常検出ステップが前記異常状態を検出した状態において、所定の入力操作を検出した場合、前記画像情報を前記画像出力端子を介して前記外部画像表示装置に出力する、画像出力ステップと、
を有することを特徴とする、プロジェクターの制御方法。
【発明の詳細な説明】
【技術分野】
【０００１】
本発明は、記録媒体に記録されている画像情報を読み出す読出部を備えたプロジェクターと、その制御方法に関する。
【背景技術】
【０００２】
画像を投写するプロジェクターにおいて、ＤＶＤ（Ｄｉｇｉｔａｌ  Ｖｅｒｓａｔｉｌｅ  Ｄｉｓｃ）等の記録媒体に記録されている画像情報を再生するための画像再生部を一体的に備えたものが知られている（特許文献１）。このようなプロジェクターを用いれば、外部の画像表示装置を接続する必要なく、記録媒体に記録されている画像情報に基づく画像を容易に鑑賞することができる。
【先行技術文献】
【特許文献】
【０００３】
【特許文献１】特開２００５−９９６１７号公報
【発明の概要】
【発明が解決しようとする課題】
【０００４】
プロジェクターの光源ランプ（例えば、超高圧水銀ランプやメタルハライドランプ等）は長時間使用していると、寿命により点灯しなくなったり、故障が生じたりすることがある。この場合、ＤＶＤメディアなどの記録媒体に記録されている画像情報を投写することはできなかった。
【課題を解決するための手段】
【０００５】
本発明は、上述の課題の少なくとも一部を解決するためになされたものであり、以下の形態または適用例として実現することが可能である。
【０００６】
［適用例１］本適用例に係るプロジェクターは、画像情報を読み出す読出部と、光源から射出された光を前記読出部が読み出した画像情報に応じて画像光に変調して投写する画像投写部を有するプロジェクターであって、前記画像情報に基づいた画像を外部画像表示装置に出力するための画像出力端子と、前記画像情報を、前記画像出力端子を介して前記外部画像表示装置に出力するための画像信号入出力部と、前記画像投写部の異常状態を検出する異常検出部と、入力操作を受け付ける入力操作部と、前記入力操作部が受け付けた前記入力操作に基づいて、当該プロジェクターの動作を制御する制御部と、を備え、前記制御部は、前記異常検出部が異常状態を検出した状態において、所定の入力操作を検出した場合、前記画像信号入出力部により、前記画像情報を前記画像出力端子を介して前記外部画像表示装置に出力することを特徴とする。
【０００７】
本適用例によれば、異常検出部が画像投写部に異常が発生したことを検出した場合、所定の操作により、記録媒体に記録されている画像情報を読み出して、画像信号出力端子を介して外部画像表示装置に出力し、外部画像表示装置により鑑賞することが可能となる。
【０００８】
［適用例２］上記適用例に記載のプロジェクターにおいて、前記異常検出部が検出した異常情報を保存する記憶部をさらに備え、前記制御部は、前記異常検出部が異常状態を検出した状態において、所定の入力操作を検出した場合、前記画像信号入出力部により、前記記憶部が保存する前記異常情報を前記画像情報に重畳させて前記画像出力端子を介して前記外部画像表示装置に出力することを特徴とする。
【０００９】
本適用例によれば、異常検出部が画像投写部の異常を検出した場合、所定の操作により、記録媒体に記録されている画像情報を読み出して、異常検出部が検出した異常情報を重畳させ、画像出力端子を介して外部画像表示装置に出力する。これにより、外部画像表示装置によって、プロジェクターの異常情報を確認することが可能となる。
【００１０】
［適用例３］上記適用例に記載のプロジェクターにおいて、前記画像信号入出力部を、前記画像情報を前記画像出力端子を介して前記外部画像表示装置に出力する出力状態と、外部機器の入力画像情報を前記画像出力端子を介して入力する入力状態とのいずれかに切り替える入出力切替部をさらに備え、前記制御部は、前記異常検出部が異常状態を検出していない場合、前記入出力切替部により、前記画像信号入出力部を前記入力状態に切り替え、前記制御部は、前記異常検出部が異常状態を検出した状態において、所定の入力操作を検出した場合、前記入出力切替部により、前記画像信号入出力部を前記出力状態に切り替えることを特徴とする。
【００１１】
本適用例によれば、異常検出部が画像投写部に異常が発生したことを検出してない場合、画像信号入出力部を入力状態に設定し、外部機器の入力画像情報を画像出力端子を介して入力し、画像投写部により投写する。つまり、画像出力端子を画像入力端子として兼用するので、画像入力用の端子を新たに設けることなく、外部機器から入力画像情報を入力し、画像投写部により投写することが可能となる。
【００１２】
［適用例４］上記適用例に記載のプロジェクターにおいて、前記異常検出部が異常状態を検出した場合に異常発生を報知する報知部をさらに備えたことを特徴とする。
【００１３】
本適用例によれば、画像投写部に異常が発生したことを異常検出部が検出した場合、報知部により報知するので、記録媒体に記録されている画像情報を読み出して、外部画像表示装置に出力するために所定の入力操作が必要なことをユーザーに報知することが可能となる。
【００１４】
［適用例５］上記適用例に記載のプロジェクターにおいて、前記制御部は、前記異常検出部が異常状態を検出した場合に、所定時間内に所定の入力操作を検出しなかったら当該プロジェクターの電源をオフすることを特徴とする。
【００１５】
本適用例によれば、画像投写部に異常が発生したことを異常検出部が検出した状態において、所定時間内に所定の操作を検出しない場合、プロジェクターの電源をオフするので、異常発生に気づかずにプロジェクターに電源が入りっぱなしになる状態を回避することが可能となる。
【００１６】
［適用例６］本適用例に係るプロジェクターの制御方法は、画像情報を読み出す読出部と、光源から射出された光を前記読出部が読み出した画像情報に応じて画像光に変調して投写する画像投写部と、入力操作を受け付ける入力操作部と、前記画像情報に基づいた画像を外部画像表示装置に出力するための画像出力端子と、前記画像情報を、前記画像出力端子を介して前記外部画像表示装置に出力するための画像信号入出力部と、を有するプロジェクターの制御方法であって、前記画像投写部の異常状態を検出する異常検出ステップと、前記異常検出ステップが前記異常状態を検出した状態において、所定の入力操作を検出した場合、前記画像情報を前記画像出力端子を介して前記外部画像表示装置に出力する、画像出力ステップと、を有することを特徴とする。
【００１７】
本適用例によれば、異常検出部が画像投写部に異常が発生したことを検出した場合、所定の入力操作により、記録媒体に記録されている画像情報を読み出して、画像信号出力端子を介して外部画像表示装置に出力し、外部画像表示装置により鑑賞することが可能となる。
【図面の簡単な説明】
【００１８】
【図１】プロジェクターの斜視図。
【図２】プロジェクターの回路構成を示すブロック図。
【図３】本実施例のプロジェクターの動作を示すフローチャート。（ａ）は電源オン時の動作、（ｂ）は異常発生時の動作を示す。
【図４】画像情報、及び異常情報の外部機画像表示装置での表示状態を示す図。
【発明を実施するための形態】
【００１９】
以下、図面を参照して本発明の一実施形態であるプロジェクターについて説明するが、以下の実施形態は特許請求の範囲にかかる発明を限定するものではなく、また、実施形態における特徴の組み合わせの全てが発明の解決手段に必須であるとは限らない。
【００２０】
（第１実施形態）
図１は、本実施形態のプロジェクターの斜視図である。
図１に示すように、プロジェクター１は、外装を構成する筐体２によって装置本体が覆われた構成を有している。筐体２の前面２ｆには、外部のスクリーンＳＣ（図２参照）等に画像（画像光）を投写する投写レンズ１３が露出しており、投写レンズ１３の下側には、記録媒体であるＤＶＤメディアを挿入するためのディスクスロット３が設けられている。また、筐体２の前面２ｆには、リモートコントローラー（リモコン、またはＲＣとも称する）２３から送信される操作信号を受信するための操作信号受信部２４が配置されている。
【００２１】
筐体２には、複数の操作キー（操作ボタン）を備えて構成される本体操作部２２が設けられており、プロジェクター１に対して各種指示を行うことが可能になっている。本体操作部２２を構成する複数の操作キーのうち、ディスクスロット３からＤＶＤメディアを排出するための操作キー（イジェクトキー）は、筐体２の前面２ｆ（ディスクスロット３の近傍）に配置されており、それ以外の操作キーは、筐体２の上面２ｔに配置されている。また、リモコン２３にも、本体操作部２２と同様、プロジェクター１に対して各種指示を行うための複数の操作キーが備えられており、プロジェクター１を遠隔操作することが可能になっている。
【００２２】
図２は、本実施形態のプロジェクターの回路構成を示すブロック図である。
図２に示すように、プロジェクター１は、画像投写部１０、制御部２０、記憶部２１、光源制御部３７、入力操作部としての本体操作部２２、操作信号受信部２４、画像出力端子２５、画像信号入出力部３３、ＤＶＤ再生部２７、画像信号処理部３４、ＯＳＤ処理部３５、電源部３６、異常検出部４０、報知部４１、電源端子４等で構成されており、これらは筐体２の内部に収容されている。
【００２３】
画像投写部１０は、光源１１、光変調装置としての３つの液晶ライトバルブ１２Ｒ、１２Ｇ、１２Ｂ、投写光学系としての投写レンズ１３、液晶駆動部１４等を含んでいる。画像投写部１０は、光源１１から射出された光を、液晶ライトバルブ１２Ｒ、１２Ｇ、１２Ｂで変調して画像光を形成し、この画像光を投写レンズ１３から投写することによってスクリーンＳＣ等に画像を表示する。
【００２４】
光源１１は、超高圧水銀ランプやメタルハライドランプ等からなる放電型の光源ランプ１１ａと、光源ランプ１１ａが放射した光を液晶ライトバルブ１２Ｒ、１２Ｇ、１２Ｂ側に反射するリフレクター１１ｂとを含んで構成されている。光源１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ、１２Ｇ、１２Ｂに入射する。
【００２５】
液晶ライトバルブ１２Ｒ、１２Ｇ、１２Ｂは、一対の透明基板間に液晶が封入された液晶パネル等によって構成される。液晶ライトバルブ１２Ｒ、１２Ｇ、１２Ｂには、マトリックス状に配列された複数の画素（図示せず）が形成されており、液晶に対して画素毎に駆動電圧を印加可能になっている。液晶駆動部１４が、入力される画像情報に応じた駆動電圧を各画素に印加すると、各画素は、画像情報に応じた光透過率に設定される。このため、光源１１から射出された光は、この液晶ライトバルブ１２Ｒ、１２Ｇ、１２Ｂを透過することによって変調され、画像情報に応じた画像光が色光毎に形成される。
形成された各色の画像光は、図示しない色合成光学系によって画素毎に合成されてカラーの画像光となった後、投写レンズ１３によってスクリーンＳＣ等に拡大投写される。
【００２６】
本実施形態では、光源としてランプを用いて投写するプロジェクター１を例示したが、本発明は光源としてＬＥＤ（Light emitting diode）光源やレーザー光源などを用いて投写するプロジェクターにも適用することができる。
なお、本実施形態では、画像投写部１０は、光源１１、光変調装置としての３つの液晶ライトバルブ１２Ｒ、１２Ｇ、１２Ｂを用いた透過型液晶方式の投写光学系を例示したが、表示原理については、反射型液晶表示方式やマイクロミラーデバイス方式（ライトスイッチ表示方式）など、他の表示方式を採用しても良い。
【００２７】
制御部２０は、図示しないＣＰＵ（Central Processing Unit）や、各種データ等の一時記憶に用いられる図示しないＲＡＭ（Random Access Memory）等を備え、記憶部２１に記憶されている制御プログラム（図示せず）に従って動作することによりプロジェクター１の動作を統括制御する。つまり、制御部２０は、記憶部２１とともにコンピュータとして機能する。
制御部２０は、本発明における入出力切替部に相当する機能を備え、画像信号入出力部３３を、後述する出力状態と入力状態のいずれかに切り替える。
また、制御部２０は、時間を計測するタイマー２０ａを備える。
【００２８】
記憶部２１は、フラッシュメモリーやＦｅＲＡＭ（Ferroelectric RAM：強誘電体メモリー）等の書き換え可能な不揮発性のメモリーにより構成されている。記憶部２１には、プロジェクター１の動作を制御するための制御プログラムや、プロジェクター１の動作条件等を規定する各種設定データ等が記憶されている。本実施形態では、異常検出部４０が検出した異常内容を示す異常情報２１ａが記憶される。
【００２９】
本体操作部２２、及びリモコン２３は、上述したように複数の操作キーを備えており、ユーザーからの入力操作（操作キーの操作）を受け付ける入力操作部に相当するものである。
複数の操作キーには、上述したイジェクトキーの他に、電源のオンとオフとを切り替えるための電源キーや、ＤＶＤメディアＭの再生を開始させるための再生キー、ＤＶＤメディアＭの再生を停止させるための停止キー、画像情報の入力元（入力ソース）を切り替えるための入力切替キー等が含まれ、これらは、本体操作部２２、及びリモコン２３の双方に備えられている。
【００３０】
また、設定メニュー等を重畳表示させるためのメニューキー、設定メニュー等で項目の選択に用いられる方向キー（上下左右に対応する４つの操作キー）、選択された項目を確定させる決定キー、動作の取り消し等を行うための取消キー、暗証番号を入力するための数字キー（０〜９に対応する１０個の操作キー）等は、リモコン２３にのみ備えられている。
【００３１】
ユーザーが本体操作部２２の各種操作キーを操作すると、本体操作部２２は、ユーザーの操作内容（操作された操作キー）に応じた操作信号を制御部２０に出力する。また、ユーザーがリモコン２３の各種操作キーを操作すると、リモコン２３は、ユーザーの操作内容に応じた赤外線の操作信号を発し、操作信号受信部２４がこれを受信して制御部２０に伝達する。
【００３２】
画像出力端子２５には、モニター装置、テレビ装置など外部画像表示装置が接続され、記録媒体に記憶される画像情報が、図示しないケーブルを介して、出力される。
また、画像出力端子２５は画像入力端子も兼用し、パーソナルコンピューターやビデオ再生装置等、外部の画像出力装置から、各種形式の画像情報がケーブル（図示せず）を介して入力される。
【００３３】
画像信号入出力部３３は、画像信号処理部３４から出力される画像情報を画像出力端子２５を介して外部画像表示装置に出力する出力状態と、外部機器から画像出力端子２５を介して入力される入力画像情報を画像信号処理部３４に供給する入力状態の２つの状態を持つ。制御部２０の指示により、出力状態と入力状態のいずれかに切り替える。
【００３４】
ＤＶＤ再生部２７は、記録媒体としてのＤＶＤメディアＭに記録された画像情報を再生するものであり、挿入センサー２７１、メディア搬送部２７２、装着センサー２７３、読取部としてのデータ読取部２７４、データ処理部２７５等を含んで構成されている。
【００３５】
挿入センサー２７１は、プロジェクター１内部のディスクスロット３の近傍に配置され、ＤＶＤメディアＭの一部がディスクスロット３に挿入されたことを検出して制御部２０に通知する。
【００３６】
メディア搬送部２７２は、ＤＶＤメディアＭを搬送するための搬送ローラー、及び搬送ローラーを回転駆動する駆動モーター（いずれも図示せず）等によって構成され、制御部２０の指示に基づいて、ＤＶＤ再生部２７内におけるＤＶＤメディアＭの搬送を行う。
具体的には、ユーザーがＤＶＤメディアＭの一部をディスクスロット３に挿入し、挿入センサー２７１がこの挿入を検出すると、制御部２０は、メディア搬送部２７２に指示をして、ＤＶＤメディアＭを内部に引き込んでターンテーブル（図示せず）上に装着させる。また、ユーザーによりイジェクトキーが操作されると、制御部２０は、メディア搬送部２７２に指示をして、ターンテーブルからＤＶＤメディアＭを離脱させ、ＤＶＤメディアＭをディスクスロット３から排出させる。
【００３７】
装着センサー２７３は、ターンテーブルの近傍に配置され、ターンテーブルにＤＶＤメディアＭが装着されていることを検出して制御部２０に通知する。
【００３８】
データ読取部２７４は、制御部２０の指示に基づいて、ターンテーブル上に装着されたＤＶＤメディアＭをスピンドルモーター（図示せず）で回転させるとともに、光ピックアップ（図示せず）を走査して、ＤＶＤメディアＭに記録されているデータストリームを順次読み取る。このデータストリームは、符号化された画像情報や音声情報が多重化された情報であり、データ読取部２７４によって読み取られたデータストリームは、データ処理部２７５に順次出力される。
【００３９】
データ処理部２７５は、デマルチプレクサーやデコーダー等で構成され、制御部２０の指示に基づいて、データ読取部２７４から入力されるデータストリームを画像情報と音声情報とに分離する処理や、分離した画像情報及び音声情報をデコード（復号化）する処理等を行う。
データ処理部２７５は、復号化された画像情報を画像信号処理部３４に出力し、復号化された音声情報を図示しない音声出力手段に出力する。なお、ＤＶＤ再生部２７が、ＤＶＤメディアＭからデータストリームを読み取って、このデータストリームに基づく画像情報を出力することを、本明細書では「画像情報を再生する」又は「ＤＶＤを再生する」と表記する。
【００４０】
制御部２０は、本体操作部２２又はリモコン２３が再生キーの操作を受け付けると、ＤＶＤ再生部２７に指示をして、画像情報の再生を開始させ、本体操作部２２又はリモコン２３が停止キーの操作を受け付けると、ＤＶＤ再生部２７に指示をして、画像情報の再生を停止させる。
【００４１】
挿入センサー２７１、及び装着センサー２７３は、例えば、メカニカルスイッチ、光センサー、磁気センサー等の各種検出手段を用いて構成することができる。また、装着センサー２７３に関しては、上記光ピックアップが受光する反射光の信号レベルによってＤＶＤメディアＭの装着の有無を検出する態様とすることも可能である。
【００４２】
画像信号処理部３４は、ＤＶＤ再生部２７から入力される画像情報（ＤＶＤ画像情報）と、画像出力端子２５を介して外部機器より入力される入力画像情報とのいずれか一方を制御部２０の指示により選択し、液晶ライトバルブ１２Ｒ、１２Ｇ、１２Ｂの各画素の階調を表す画像情報、即ち各画素に印加する駆動電圧を規定するための画像情報に変換する。さらに、画像処理部３４は、制御部２０の指示に基づいて、変換した画像情報に対して、明るさ、コントラスト、シャープネス、色合い等を調整するための画質調整処理等を行う。画像処理部３４で画質調整等がなされた画像情報は、ＯＳＤ処理部３５に出力される。
【００４３】
ＯＳＤ処理部３５は、制御部２０の指示に基づいて、投写画像（外部入力画像又はＤＶＤ画像）上に、メニュー画像やメッセージ画像等のＯＳＤ（オンスクリーンディスプレイ）画像を重畳して表示するための処理を行う。ＯＳＤ処理部３５は、図示しないＯＳＤメモリーを備えており、ＯＳＤ画像を形成するための図形やフォント等を表すＯＳＤ画像情報を記憶している。
制御部２０が、ＯＳＤ画像の重畳表示を指示すると、ＯＳＤ処理部３５は、必要なＯＳＤ画像情報をＯＳＤメモリーから読み出し、投写画像上の所定の位置にＯＳＤ画像が重畳されるように、画像信号処理部３４から入力される画像情報に、このＯＳＤ画像情報を合成する。ＯＳＤ画像情報が合成された画像情報は、液晶駆動部１４に出力される。
なお、制御部２０からＯＳＤ画像を重畳する旨の指示がない場合には、ＯＳＤ処理部３５は、画像信号処理部３４から入力される画像情報を、そのまま液晶駆動部１４に出力する。
【００４４】
液晶駆動部１４は本実施形態における画像形成部であり、画像信号処理部３４から入力される画像情報に従って液晶ライトバルブ１２Ｒ、１２Ｇ、１２Ｂを駆動すると、液晶ライトバルブ１２Ｒ、１２Ｇ、１２Ｂは、画像情報に応じた画像を形成し、この画像が投写レンズ１３から投写される。
【００４５】
電源部３６には、ＡＣ１００Ｖ等の商用電源が電源端子４を介して外部から供給される。電源部３６は、商用電源（交流電源）を所定の電圧の直流電源に変換して、プロジェクター１の各部に電力を供給する。また、電源部３６は、制御部２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００４６】
光源制御部３７は、制御部２０の指示に基づいて、光源１１に対する電力の供給と停止とを制御し、光源１１の点灯及び消灯を切り替える。
【００４７】
異常検出部４０は、光源制御部３７を介して光源１１の異常状態（例えば、光源ランプ切れ、点灯不良）を検出し、制御部２０に通知する。
【００４８】
報知部４１は、ＬＥＤやブザーなどで構成され、制御部２０の指示により、異常検出部４０が異常を検出したことを報知する。
【００４９】
本実施形態のプロジェクター１は、上記のように構成されているため、電源端子４に電源ケーブル（図示せず）が接続され、電源部３６に商用電源が供給されると、電源部３６は、少なくとも制御部２０、記憶部２１、本体操作部２２、及び操作信号受信部２４に電力（スタンバイ電力）の供給を行い、制御部２０は、この電力供給を受けて、制御プログラムに従った動作を開始する。
商用電源が供給された直後には、プロジェクター１は、スタンバイ状態（「電源オフ状態」ともいう。）であり、光源１１を消灯させた状態を維持している。そして、本体操作部２２又はリモコン２３に備わる電源キーがユーザーにより操作されると、制御部２０は、電源部３６に指示をして、各部への動作電力の供給を開始させ、プロジェクター１を電源オン状態に移行させる。
【００５０】
プロジェクター１が電源オン状態に移行すると、制御部２０は、光源制御部３７に指示をして光源１１を点灯させる。そして、ユーザーが外部機器である画像出力装置とプロジェクター１（画像出力端子２５）を接続して、画像出力装置からの画像情報の出力を開始させると、画像出力端子２５に外部入力画像情報が入力される。
そして、ユーザーが必要に応じて入力切替キーを操作して外部入力画像情報を指定すると、画像投写部１０から外部入力画像が投写される。
【００５１】
一方、ユーザーがＤＶＤメディアＭをディスクスロット３に挿入すると、ＤＶＤ再生部２７は、ＤＶＤ画像情報の再生を開始し、画像投写部１０からＤＶＤ画像が投写される。また、ＤＶＤ画像情報の再生が行われている状態で停止キーが操作されると、ＤＶＤ再生部２７は、ＤＶＤ画像情報の再生を停止する。
【００５２】
次に、本実施形態のプロジェクター１の動作を図３のフローチャートを用いて説明する。
（電源オン時）
図３（ａ）に示すように、まずプロジェクター１が本体操作部２２またはリモコン２３による電源オン操作で起動すると（ステップＳ１０１）、制御部２０は画像信号入出力部３３を入力状態に設定する（ステップＳ１０２）。次に制御部２０は、光源制御部３７に指示して光源１１（光源ランプ１１ａ）を点灯する（ステップＳ１０３）。
【００５３】
ステップＳ１０４において制御部２０は、プロジェクター内にＤＶＤメディアＭが装着されているか否かを調べる。ＤＶＤメディアＭが装着されている場合（ステップＳ１０４：Ｙ）、ＤＶＤメディアＭに記録されている画像情報の再生を開始し、画像投写部１０よりＤＶＤ画像情報の投写を開始する（ステップＳ１０５）。
一方、ＤＶＤメディアＭが装着されていない場合（ステップＳ１０４：Ｎ）、制御部２０は、画像出力端子２５を介して入力される入力画像情報を画像投写部１０により投写させる。以上で本フローを終了する。
【００５４】
（異常発生時）
図３（ｂ）に示すように、プロジェクター１がＤＶＤメディアＭの画像情報を投写中に画像投写部１０の光源１１においてランプ切れ・点灯不良などの異常を異常検出部４０が検出した場合（ステップＳ２０１）、制御部２０は、報知部４１により異常発生を報知するとともに、異常検出部４０が検出した異常内容を異常情報２１ａに保存する（ステップＳ２０２）。次にタイマー２０ａによる計時を開始し(ステップＳ２０３)、ステップＳ２０４に移行する。なお、前述のステップＳ２０１が異常検出ステップに相当する。
【００５５】
ステップＳ２０４において制御部２０は、本体操作部２２またはリモコン２３よりＤＶＤメディアＭの画像情報を画像出力端子２５を介して出力する画像出力操作（所定操作）を検出したか否かを調べる。画像出力操作を検出した場合（ステップＳ２０４：Ｙ）、ステップＳ２０７に移行する。画像出力操作を検出していない場合（ステップＳ２０４：Ｎ）、ステップＳ２０５に移行する。
【００５６】
ステップＳ２０５において制御部２０は、タイマー２０ａが所定時間（例えば３０秒）、経過したか否かを調べる。タイマー２０ａが所定時間経過した場合（ステップＳ２０５：Ｙ）、制御部２０はプロジェクター１の電源をオフし、スタンバイ状態に移行する（ステップＳ２０６）。タイマー２０ａが所定時間経過していない場合（ステップＳ２０５：Ｎ）、ステップＳ２０４に移行する。
【００５７】
ステップＳ２０７において制御部２０は、光源制御部３７に指示して光源１１（光源ランプ１１ａ）を消灯し、タイマー２０ａによる計時を停止したのち、ステップＳ２０８に移行する。
【００５８】
ステップＳ２０８において制御部２０は、画像信号入出力部３３を出力状態に設定する。
次に、ステップＳ２０９において制御部２０は、図４に示すように、ＤＶＤメディアＭに記録されている画像情報に、異常情報２１ａに保存される異常内容を重畳させ、画像出力端子２５を介して外部画像表示装置に出力する。
以上で本フローの動作を終了する。
【００５９】
以上説明したように、本実施形態のプロジェクター１によれば、異常検出部４０が画像投写部１０に異常が発生したことを検出した場合、所定の操作により、ＤＶＤメディアＭに記録されている画像情報を読み出して、画像出力端子２５を介して外部画像表示装置に出力し、外部画像表示装置により鑑賞することが可能となる。
【００６０】
また、異常検出部４０が検出した異常情報２１ａをＤＶＤメディアＭから読み出した画像情報に重畳させ、画像出力端子２５を介して外部画像表示装置に出力するので、外部画像表示装置によって、プロジェクター１の異常情報２１ａを確認することが可能となる。
【００６１】
また、所定時間内に所定の操作を検出しない場合、プロジェクター１の電源をオフするので、異常発生に気づかずにプロジェクター１に電源が入りっぱなしになる状態を回避することが可能となる。
【００６２】
また、異常検出部４０が画像投写部１０に異常が発生したことを検出してない場合、画像信号入出力部３３を入力状態に設定し、外部機器の入力画像情報を画像出力端子２５を介して入力し、画像投写部１０により投写する。つまり、画像出力端子２５を画像入力端子として兼用するので、画像入力用の端子を新たに設けることなく、外部機器から入力画像情報を入力し、画像投写部１０により投写することが可能となる。
【００６３】
また、画像投写部１０に異常が発生したことを異常検出部４０が検出した場合、報知部４１により報知するので、ＤＶＤメディアＭに記録されている画像情報を読み出して、外部画像表示装置に出力するために所定の入力操作が必要なことをユーザーに報知することが可能となる。
【００６４】
また、上記実施形態は、以下のように変更してもよい。
（変形例１）
上述した実施形態では記録媒体をＤＶＤ（Ｄｉｇｉｔａｌ  Ｖａｒｓａｔｉｌｅ  Ｄｉｓｃ）として説明したが、これに限るものでなく、例えばＢｌｕ−ｒａｙ（登録商標）ディスク、ＵＳＢメモリーなどのように、画像情報を記憶する記録媒体であればよい。
【符号の説明】
【００６５】
１…プロジェクター、２…筐体、３…ディスクスロット、４…電源端子、１０…画像投写部、１１…光源、１２Ｒ，１２Ｇ，１２Ｂ…液晶ライトバルブ、１３…投写レンズ、１４…液晶駆動部、２０…制御部、２１…記憶部、２１ａ…異常情報、２２…本体操作部、２３…リモートコントローラー（リモコン，ＲＣ）、２４…操作信号受信部、２５…画像出力端子、２７…ＤＶＤ再生部、２７１…挿入センサー、２７２…メディア搬送部、２７３…装着センサー、２７４…データ読取部、２７５…データ処理部、３３…画像信号入出力部、３４…画像信号処理部、３５…ＯＳＤ処理部、３６…電源部、３７…光源制御部、４０…異常検出部、４１…報知部。
【図１】
2012173451.tif 000003
【図２】
2012173451.tif 000004
【図３】
2012173451.tif 000005
【図４】
2012173451.tif 000006